【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
管体の端部に雄型嵌合部と雌型嵌合部を有し、前記雄型嵌合部と前記雌型嵌合部の間に、前記管体の外周面に複数の略矩形状の山部としての管体大径部と、円形状の谷部としての管体小径部が交互に形成される角型電線管の、前記管体小径部で切断した角型電線管の前記管体小径部と角型電線管の前記雌型嵌合部を接続する管継手であって、
前記管継手は、継手本体とΠ型固定部材により形成され、
前記Π型固定部材は、天面部と前記天面部に略直交するように接続された下方に向けて突出する両足部を有し、前記天面部の下面には、前記両足部と前記天面部の接続部から、外方に向けて突出する段部がそれぞれ形成され、
前記継手本体の一方の側には、前記管体小径部を固定する小径部固定部が形成され、前記小径部固定部には、前記管体小径部を挟んで前記管体小径部の両側に配置される前記管体大径部が挿入される筒状部と、さらに前記筒状部の奥側に配置される円筒部とを有し、
前記筒状部の一部には、略矩形状部の側面の上方及び天面が開口する切欠き部が形成され、
前記Π型固定部材が上方から前記切欠き部へ挿入され、前記筒状部の側面上部に、前記Π型固定部材の前記段部が載置され、前記Π型固定部材の前記両足部が前記継手本体の前記筒状部の底部の両側に設けた開口部に挿入され、前記Π型固定部材が前記継手本体へ固定されることを特徴とする角型電線管用管継手。
【請求項２】
前記継手本体の他方の側には前記雌型嵌合部の固定部として雄型継手部が形成されることを特徴とする請求項１に記載の角型電線管用管継手。
【請求項３】
天面部と前記天面部に略直交するように接続された下方に向けて突出する両足部を有し、前記天面部の下面には、前記両足部と前記天面部の接続部より、外方に向けて突出する段部がそれぞれ形成され、前記天面部の内周面は、略円弧形状に形成されていて、
さらに、前記両足部の前記段部より下方の所定位置に、前記両足部の外側に向けて係合部が形成され、
前記係合部が、継手本体の筒状部の側面内側の所定距離下方に形成された係合段部に係合する際に、前記係合部が前記継手本体の筒状部に内包されて係合することが可能なように形成されていること特徴とするΠ型固定部材。
【請求項４】
前記両足部は、さらに前記両足部の先端が継手本体の底部に形成された開口部に、挿入可能なように前記係合部から下方に向けてそれぞれ延出していることを特徴とする請求項３に記載のΠ型固定部材。
【請求項５】
Π型固定部材は、天面部と前記天面部に略直交するように接続された下方に向けて突出する両足部を有し、前記天面部の下面には、前記両足部と前記天面部の接続部より、外方に向けて突出する段部がそれぞれ形成され、前記天面部の内周面は、略円弧形状に形成されていて、
さらに、前記両足部の前記段部より下方の所定位置に、前記両足部の外側に向けて係合部が形成されたものであり、
前記係合部を、継手本体の筒状部の側面内側の所定距離下方に形成された係合段部に対向させて係合する際に、前記係合部が前記継手本体の筒状部に内包されるように係合させること特徴とするΠ型固定部材の継手本体への固定方法。
【請求項６】
前記両足部は、さらに前記両足部の先端が継手本体の底部に形成された開口部に、挿入可能なように前記係合部から下方に向けてそれぞれ延出して形成され、Π型固定部材の両足部を、前記継手本体の開口部に挿入することを特徴とする請求項５に記載のΠ型固定部材の継手本体への固定方法。
【請求項７】
管体の端部に雄型嵌合部と雌型嵌合部を有し、前記雄型嵌合部と前記雌型嵌合部の間に、前記管体の外周面に複数の略矩形状の山部としての管体大径部と、円形状の谷部としての管体小径部が交互に形成される角型電線管の、前記管体小径部で切断した角型電線管の前記管体小径部を接続する管継手の接続方法であって、
前記管継手は、継手本体とΠ型固定部材により形成され、
前記Π型固定部材は、天面部と前記天面部に略直交するように接続された下方に向けて突出する両足部を有し、前記天面部の下面には、前記両足部と前記天面部の接続部から、外方に向けて突出する段部がそれぞれ形成され、
少なくとも前記継手本体の一方の側には、前記管体小径部を固定する小径部固定部が形成され、前記小径部固定部には、前記管体小径部を挟んで前記管体小径部の両側に配置される前記管体大径部が挿入される筒状部と、さらに前記筒状部の奥側に配置される円筒部とを有し、
前記筒状部の一部には、略矩形状部の側面の上方及び天面が開口する切欠き部が形成され、
前記Π型固定部材を上方から前記切欠き部へ挿入して、前記筒状部の側面上部に、前記Π型固定部材の前記段部が載置されることで、前記Π型固定部材を前記継手本体へ固定することを特徴とする角型電線管の角型電線管用管継手への固定方法。
【手続補正２】
【補正対象書類名】明細書
【補正対象項目名】発明の名称
【補正方法】変更
【補正の内容】
【発明の名称】角型電線管用管継手、Π型固定部材、Π型固定部材の継手本体への固定方法、角型電線管の角型電線管用管継手への固定方法
【手続補正３】
【補正対象書類名】明細書
【補正対象項目名】００１８
【補正方法】変更
【補正の内容】
【００１８】
本発明は、このような問題に鑑みてなされたもので、ボルトやナットを使用せずに簡易な構造で、ワンタッチで、角型電線管の小径部と雌型嵌合部とを接続することが角型電線管用管継手、Π型固定部材、Π型固定部材の継手本体への固定方法、および角型電線管の角型電線管用管継手への固定方法を提供することを目的とする。
【手続補正４】
【補正対象書類名】明細書
【補正対象項目名】００１９
【補正方法】変更
【補正の内容】
【００１９】
前述した目的を達するために第１の発明は、管体の端部に雄型嵌合部と雌型嵌合部を有し、前記雄型嵌合部と前記雌型嵌合部の間に、前記管体の外周面に複数の略矩形状の山部としての管体大径部と、円形状の谷部としての管体小径部が交互に形成される角型電線管の、前記管体小径部で切断した角型電線管の前記管体小径部と角型電線管の前記雌型嵌合部を接続する管継手であって、前記管継手は、継手本体とΠ型固定部材により形成され、前記Π型固定部材は、天面部と前記天面部に略直交するように接続された下方に向けて突出する両足部を有し、前記天面部の下面には、前記両足部と前記天面部の接続部から、外方に向けて突出する段部がそれぞれ形成され、前記継手本体の一方の側には、前記管体小径部を固定する小径部固定部が形成され、前記小径部固定部には、前記管体小径部を挟んで前記管体小径部の両側に配置される前記管体大径部が挿入される筒状部と、さらに前記筒状部の奥側に配置される円筒部とを有し、前記筒状部の一部には、略矩形状部の側面の上方及び天面が開口する切欠き部が形成され、前記Π型固定部材が上方から前記切欠き部へ挿入され、前記筒状部の側面上部に、前記Π型固定部材の前記段部が載置され、前記Π型固定部材の前記両足部が前記継手本体の前記筒状部の底部の両側に設けた開口部に挿入され、前記Π型固定部材が前記継手本体へ固定されることを特徴とする角型電線管用管継手である。
【手続補正５】
【補正対象書類名】明細書
【補正対象項目名】００２０
【補正方法】変更
【補正の内容】
【００２０】
前記継手本体の他方の側には前記雌型嵌合部の固定部として雄型継手部が形成されてもよい。
【手続補正６】
【補正対象書類名】明細書
【補正対象項目名】００２１
【補正方法】変更
【補正の内容】
【００２１】
第２の発明は、天面部と前記天面部に略直交するように接続された下方に向けて突出する両足部を有し、前記天面部の下面には、前記両足部と前記天面部の接続部より、外方に向けて突出する段部がそれぞれ形成され、前記天面部の内周面は、略円弧形状に形成されていて、さらに、前記両足部の前記段部より下方の所定位置に、前記両足部の外側に向けて係合部が形成され、前記係合部が、継手本体の筒状部の側面内側の所定距離下方に形成された係合段部に係合する際に、前記係合部が前記継手本体の筒状部に内包されて係合することが可能なように形成されていること特徴とするΠ型固定部材である。
前記両足部は、さらに前記両足部の先端が継手本体の底部に形成された開口部に、挿入可能なように前記係合部から下方に向けてそれぞれ延出していることが望ましい。
また、第３の発明は、Π型固定部材は、天面部と前記天面部に略直交するように接続された下方に向けて突出する両足部を有し、前記天面部の下面には、前記両足部と前記天面部の接続部より、外方に向けて突出する段部がそれぞれ形成され、前記天面部の内周面は、略円弧形状に形成されていて、さらに、前記両足部の前記段部より下方の所定位置に、前記両足部の外側に向けて係合部が形成されたものであり、
前記係合部を、継手本体の筒状部の側面内側の所定距離下方に形成された係合段部に対向させて係合する際に、前記係合部が前記継手本体の筒状部に内包されるように係合させること特徴とするΠ型固定部材の継手本体への固定方法である。
前記両足部は、さらに前記両足部の先端が継手本体の底部に形成された開口部に、挿入可能なように前記係合部から下方に向けてそれぞれ延出して形成され、Π型固定部材の両足部を、前記継手本体の開口部に挿入することが望ましい。
【手続補正７】
【補正対象書類名】明細書
【補正対象項目名】００２２
【補正方法】変更
【補正の内容】
【００２２】
第１〜３の発明によれば、角型電線管を継手本体の一方の小径部固定部に挿入した状態でΠ型固定部材を挿入するだけで角型電線管と管継手を固定することができる。
【手続補正８】
【補正対象書類名】明細書
【補正対象項目名】００２６
【補正方法】変更
【補正の内容】
【００２６】
第４の発明は、管体の端部に雄型嵌合部と雌型嵌合部を有し、前記雄型嵌合部と前記雌型嵌合部の間に、前記管体の外周面に複数の略矩形状の山部としての管体大径部と、円形状の谷部としての管体小径部が交互に形成される角型電線管の、前記管体小径部で切断した角型電線管の前記管体小径部を接続する管継手の接続方法であって、前記管継手は、継手本体とΠ型固定部材により形成され、前記Π型固定部材は、天面部と前記天面部に略直交するように接続された下方に向けて突出する両足部を有し、前記天面部の下面には、前記両足部と前記天面部の接続部から、外方に向けて突出する段部がそれぞれ形成され、少なくとも前記継手本体の一方の側には、前記管体小径部を固定する小径部固定部が形成され、前記小径部固定部には、前記管体小径部を挟んで前記管体小径部の両側に配置される前記管体大径部が挿入される筒状部と、さらに前記筒状部の奥側に配置される円筒部とを有し、前記筒状部の一部には、略矩形状部の側面の上方及び天面が開口する切欠き部が形成され、前記Π型固定部材を上方から前記切欠き部へ挿入して、前記筒状部の側面上部に、前記Π型固定部材の前記段部が載置されることで、前記Π型固定部材を前記継手本体へ固定することを特徴とする角型電線管の角型電線管用管継手への固定方法である。
【手続補正９】
【補正対象書類名】明細書
【補正対象項目名】００２７
【補正方法】変更
【補正の内容】
【００２７】
第４の発明によれば、角型電線管を小径部固定部に挿入した状態でΠ型固定部材を挿入するだけで角型電線管の小径部と管継手とを接続可能である。また、雄型継手部を角型電線管の雌型嵌合部に挿入するだけで、角型電線管と管継手とを接続可能である。このため、角型電線管と管継手の接続方法を容易に得ることができる。
【手続補正１０】
【補正対象書類名】明細書
【補正対象項目名】００２８
【補正方法】変更
【補正の内容】
【００２８】
本発明によれば、ボルトやナットを使用せずに簡易な構造で、ワンタッチで、角型電線管を接続することが角型電線管用管継手、Π型固定部材、Π型固定部材の継手本体への固定方法、および角型電線管の角型電線管用管継手への固定方法を提供することができる。